(57)【要約】【課題】シンクが形成されている流し台の上方部分を有効利用するとともに、水栓金具の取付位置も変更可能な流し台を提供すること。【解決手段】シンク本体３後方側の水栓金具４の取付部位近傍に、シンク２側に張出した後方張出部３ａを形成すると共に、シンク本体３前方側にもシンク２側に張出した前方張出部３ｂを有し、これら両張出部３ａ，３ｂがシンク本体３の左右の一方側に配置され、前方張出部３ｂの下方空間を前面収納スペース５ａないし小物類収納スペース５ｂとして構成すると共に、これら収納スペース５ａ，５ｂの前面に前扉６を設けた構成とすることで、シンク２前方側の張出部３ａ，３ｂを収納空間として利用したり、あるいはシンク本体３を前後に反転させて水栓金具４の取付位置を変更できる可能性を有している。【選択図】  図２
2004229699.tif 000002
【特許請求の範囲】
【請求項１】
シンク後方側に設けられている水栓金具の取付部位近傍が、シンク側に張出している流し台であって、シンク前方側にもシンク側に張出した部分を有することを特徴とする流し台。
【請求項２】
前記シンク後方側及びシンク前方側の何れの張出し部も、シンクの左右の一方側にある請求項１に記載の流し台。
【請求項３】
前記シンク前方側の張出し部位下方空間を収納スペースとして構成した請求項１または２に記載の流し台。
【請求項４】
前記収納スペースの前面を開閉する前扉を設けた請求項３に記載の流し台。
【発明の詳細な説明】
【０００１】
【発明の属する技術分野】
本発明は、シンク後方側に設けられている水栓金具の取付部位が、シンク側に張出した位置にある流し台に関する。
【０００２】
【従来の技術】
従来、流し台の上部に設けたシンク近傍にある水栓金具は、特許文献１又は２に記載の如く、シンク後方側に設けられており、水栓に連結される配管等の関係で、シンクの後方側は前方側に比べ幅広く形成されており、シンク前方側は付属物が何も取り付けられない関係で狭小幅に形成されるのが普通である。
【０００３】
【特許文献１】
特開平７−２５５５４３号公報（図１，２）
【特許文献２】
特開平１１−１８８５６号公報（図１）
【０００４】
【発明が解決しようとする課題】
しかしながら、上記特許文献１又は２に記載のシンク形状は、前方側が狭小幅に形成されるため、シンクが形成されている流し台の上方部分はこれまで何も利用することがなかった。
【０００５】
本発明は、このような状況に鑑みてなされたものであり、シンクが形成されている流し台の上方部分を有効利用するとともに、水栓金具の取付位置も変更可能な流し台を提供することを目的とするものである。
【０００６】
【課題を解決するための手段】
上記課題を解決するために、本発明の流し台は、シンク後方側に設けられている水栓金具の取付部位近傍が、シンク側に張出している流し台であって、シンク前方側にもシンク側に張出した部分を有することを特徴としている。
この特徴によれば、シンク前方側の張出した部分を収納空間として利用したり、あるいはシンク本体を前後に反転させて水栓金具の取付位置を変更できる可能性を有している。
【０００７】
本発明の流し台において、前記シンク後方側及びシンク前方側の何れの張出し部も、シンクの左右の一方側にあることが好ましい。
このようにすれば、シンク本体を前後に反転するだけで水栓金具の取付位置を左右に変更できる。
【０００８】
本発明の流し台において、前記シンク前方側の張出し部位下方空間を収納スペースとして構成することが好ましい。
このようにすれば、流し台の収納空間を拡大できる。
【０００９】
本発明の流し台において、前記収納スペースの前面を開閉する前扉を設けたことが好ましい。
このようにすれば、前扉を開閉するだけで収納スペース内に収納されている調理具等を容易に取り出しかつ格納できる。
【００１０】
【発明の実施の形態】
本発明の実施形態について図面を参照して説明する。
【００１１】
図１は本発明の一実施形態に係る流し台のシンクを示す部分斜視図、図２は流し台のシンク前方の張出し部位下方空間に形成される収納スペースを開放した状態を示す部分斜視図、図３は流し台のシンクを横切る平面断面図、図４は図３のＡ−Ａ断面図であり、図５はシンク形状の一実施形態を示すシンクの平面図である。
【００１２】
図１〜図５に示す符号１は流し台であって、この流し台１は上面の一部にシンク２が設けられている。このシンク２は、例えばステンレス鋼板をプレス成形によりシンク本体３が一体成形されており、シンク本体３は、左側の後方ないし前方がシンク２側に張出して前後の中心を通る中心線に対し対称構造となっており、中心線上右側には排水口Ｄ（図３参照）が形成されると共に左側の後方張出部３ａは水栓金具４が取付けられる領域として形成されている。
【００１３】
そして、シンク本体３の前方張出部３ｂ下方に形成される空間は、周囲が壁面で覆われた前面収納スペース５ａとして形成されており、前面収納スペース５ａの右側にはこれに連通する浅いスペースとして小物類収納スペース５ｂが形成されており、これらは前方が開口した構成となっている。
【００１４】
これら前面収納スペース５ａないし小物類収納スペース５ｂは、下端部が枢着されて上部が開閉可能な横長板状の前扉６によって閉塞されており、前扉６の裏面は例えば包丁差しを取付けて使用することができ、前面収納スペース５ａの内部にはスプーン、フォーク、ナイフなどの調理具を収容する収容箱や引出し等を出し入れ可能に収容することができる。また、小物類収納スペース５ｂには、例えば栓抜き器具や菜箸、メジャースプーン等の小物類を収容することもできる。
【００１５】
また前扉６は、図２に示すように流し台１の一側端部が折曲げ可能に枢着されたリンク部材８によって枢動可能に連結され、閉塞時にはマグネット等の保持具によって保持されており、前扉６を開放する際はリンク部材８により所定角度位置に保持することができ、水平状態に保持すれば置き台等として使用することもできる。
【００１６】
次に、上記シンクの別の実施形態に付き図６を参照して説明する。図６は別の実施形態に係るシンクであって、上記シンク本体を反転した勝手違いシンクの平面図である。
【００１７】
本実施形態に係るシンク１２を構成するシンク本体１３は、上記実施形態に係るシンク本体３を前後に反転した構成となっており、前後に反転させることで両張出部３ａ，３ｂの前後の位置関係が逆の配置となった後方張出部１３ａないし前方張出部１３ｂが右側に配置された構成とすることができる。
【００１８】
すなわち、本実施形態に係るシンク本体１３は、右側の後方ないし前方がシンク１２側に張出した横方向の中心線に対し対称構造であって、中心線上左側には排水口Ｄが形成されると共に右側の後方張出部１３ａの上面には水栓金具１４が取付けられている。
【００１９】
そして、シンク本体１３の前方張出部１３ｂ下方に形成される空間は、周囲が壁面で覆われた前面収納スペース１５ａとして形成されており、前面収納スペース１５ａの左側にはこれに連通する浅いスペースとして小物類収納スペース１５ｂが形成されており、これらは前方が開口した構成となっており、これら前面収納スペース１５ａないし小物類収納スペース１５ｂは、上記実施形態と同一構成の前扉１６によって閉塞されている。
【００２０】
従って、上記のよう構成されたシンクによれば、水栓金具１４の取付位置が右側に配置されたシンク１２の流し台を製作する場合は、上記実施形態に係るシンク本体３を前後に反転させるだけで容易に対応することができる。
【００２１】
更に、シンク１２の前方張出部１３ｂ下方の空間を前面収納スペース１５ａとして形成した構成とすることで、流し台１の収納空間を拡大することができる。
【００２２】
また、前面収納スペース５ａ，１５ａないし小物類収納スペース５ｂ，１５ｂは、前面が開閉可能な前扉６，１６によって閉塞される構成となっているので、前扉６，１６を開閉するだけで前面収納スペース５ａ，１５ａないし小物類収納スペース５ｂ，１５ｂ内に収納されている調理具等を容易に取り出しかつ格納することができる。
【００２３】
【発明の効果】
本発明は以下の効果を奏する。
【００２４】
（ａ）請求項１項の発明によれば、シンク前方側の張出した部分を収納空間として利用したり、あるいはシンク本体を前後に反転させて水栓金具の取付位置を変更できる可能性を有している。
【００２５】
（ｂ）請求項２項の発明によれば、シンク本体を前後に反転するだけで水栓金具の取付位置を左右に変更できる。
【００２６】
（ｃ）請求項３項の発明によれば、流し台の収納空間を拡大できる。
【００２７】
（ｄ）請求項４項の発明によれば、前扉を開閉するだけで収納スペース内に収納されている調理具等を容易に取り出しかつ格納できる。
【図面の簡単な説明】
【図１】本発明の一実施形態に係る流し台のシンクを示す部分斜視図である。
【図２】流し台のシンク前方の張出し部位下方空間に形成される収納スペースを開放した状態を示す部分斜視図である。
【図３】流し台のシンクを横切る平面断面図である。
【図４】図３のＡ−Ａ断面図である。
【図５】シンク形状の一実施形態を示すシンクの平面図である。
【図６】別の実施形態に係るシンクであって、上記シンク本体を反転した勝手違いシンクの平面図である。
【符号の説明】
１                    流し台
２，１２              シンク
３，１３              シンク本体
３ａ，１３ａ          後方張出部
３ｂ，１３ｂ          前方張出部
４，１４              水栓金具
５ａ，１５ａ          前面収納スペース
５ｂ，１５ｂ          小物類収納スペース
６，１６              前扉
８                    リンク部材
Ｄ                    排水口
【図１】
2004229699.tif 000003
【図２】
2004229699.tif 000004
【図３】
2004229699.tif 000005
【図４】
2004229699.tif 000006
【図５】
2004229699.tif 000007
【図６】
2004229699.tif 000008